(57)【要約】【課題】信頼性の高い予約録画機能および予約録音機能を実現できる携帯型電子機器および同機器の記録制御方法を提供する。【解決手段】ＣＰＵ／制御部１０１は、タイマ部１０５が録画可否判定時刻を計時すると、メモリ部１０３に記憶した予約番組の受信状況を判定するために、その判定信号をチューナー部１１１および復調部１１２から取得し、録画可否判定を行う。予約録画不能な状態にあると判定した場合、その状態を予約録画を行ったユーザに報知する。この報知により、ユーザは予約録画開始時刻前の早い時間帯に於いて、例えば録画開始時刻までに受信状態を改善する対処、または他の機器に録画を委ねる対処等を採ることができる。【選択図】    図１
2006186673.tif 000002
【特許請求の範囲】
【請求項１】
放送番組を受信する受信手段と、
前記受信手段で受信した放送番組のコンテンツを記録する記録手段と、
前記受信手段で受信した放送番組のコンテンツを前記記録手段に記録させるための記録開始時刻および記録可否判定時刻を設定する時刻設定手段と、
前記時刻設定手段で設定した前記各時刻を示す時刻情報を保持する保持手段と、
前記保持手段に保持された前記時刻情報に従う計時を行う計時手段と、
前記計時手段が前記保持手段に保持された前記記録可否判定時刻を計時したとき、前記受信手段の受信状況を調べ、前記受信手段が前記放送番組を受信可能な所定の受信レベル状態にないとき、この状態を外部に通知し、前記受信手段が前記放送番組を受信可能な所定の受信レベル状態にあるとき、前記計時手段が前記保持手段に保持された前記記録開始時刻を計時した時点から前記受信手段が受信した前記放送番組のコンテンツを前記記録手段に記録させる記録制御手段と
を具備したことを特徴とする携帯型電子機器。
【請求項２】
前記受信手段は、移動体向けの放送番組を受信し復調する回路を具備し、前記記録手段は前記回路で復調されたコンテンツのデータを記録する請求項１記載の携帯型電子機器。
【請求項３】
前記受信手段は、テレビジョン放送番組を受信し復調する回路を具備し、前記記録手段は前記回路で復調された映像データおよび音声データを記録する録画手段を具備する請求項２記載の携帯型電子機器。
【請求項４】
前記受信手段は、ラジオ放送番組を受信し復調する回路を具備し、前記記録手段は前記回路で復調された音声データ、若しくは音声データと画像データを記録する録音手段若しくは記録手段を具備する請求項２記載の携帯型電子機器。
【請求項５】
前記受信手段は、選局手段を具備し、前記選局手段により選局された放送番組を受信する請求項２記載の携帯型電子機器。
【請求項６】
前記時刻設定手段は、前記記録開始時刻が設定されたとき、その設定時刻をもとに前記記録可否判定時刻を設定する設定手段を具備する請求項１記載の携帯型電子機器。
【請求項７】
前記時刻設定手段は、前記記録開始時刻および前記記録可否判定時刻をユーザに入力させる入力手段を具備し、前記入力手段から入力された前記記録開始時刻および記録可否判定時刻を設定する設定手段を具備する請求項１記載の携帯型電子機器。
【請求項８】
報知手段をさらに具備し
前記記録制御手段は、前記受信手段の受信状況を調べ、前記受信手段が前記放送番組を受信可能な所定の受信レベル状態にないとき、この状態を前記報知手段により前記記録開始時刻を設定したユーザに報知させる制御手段を具備する請求項１記載の携帯型電子機器。
【請求項９】
携帯電話機能部をさらに具備し、
前記記録制御手段は、前記受信手段の受信状況を調べ、前記受信手段が前記放送番組を受信可能な所定の受信レベル状態にないとき、前記記録開始時刻を設定した前記放送番組のコンテンツを外部の機器に記録させる制御情報を前記携帯電話機能部から外部の機器に送信させる制御手段を具備する請求項８記載の携帯型電子機器。
【請求項１０】
前記記録制御手段は、前記記録手段が前記放送番組のコンテンツを記録している期間に於いて前記受信手段の受信状況を調べ、前記受信手段が前記放送番組を受信可能な受信レベル状態から受信不能な受信レベル状態に変化したとき、この状態を前記報知手段により前記記録開始時刻を設定したユーザに報知させる制御手段をさらに具備する請求項８記載の携帯型電子機器。
【請求項１１】
前記記録制御手段は、前記記録手段が前記放送番組のコンテンツを記録している期間に於いて前記受信手段の受信状況を調べ、前記受信手段が前記放送番組を受信可能な受信レベル状態から受信不能な受信レベル状態に変化したとき、前記記録開始時刻を設定した前記放送番組のコンテンツを外部の機器に記録させる制御情報を前記携帯電話機能部から外部の機器に送信させる制御手段を具備する請求項９記載の携帯型電子機器。
【請求項１２】
前記記録制御手段は、前記受信手段が前記放送番組を受信可能な受信レベル状態から受信不能な受信レベル状態に変化した状態が所定時間継続したとき前記記録手段の記録動作を停止させる制御手段をさらに具備する請求項８記載の携帯型電子機器。
【請求項１３】
前記記録制御手段は、前記受信手段が受信した放送番組の受信電力、Ｃ／Ｎ比、ＢＥＲ値の少なくともいずれかをもとに前記受信手段が前記放送番組を受信可能な所定の受信レベル状態にあるか否かを判定する手段を具備する請求項１記載の携帯型電子機器。
【請求項１４】
前記記録手段は、前記コンテンツのデータをカード状の記録媒体に記録する外部インタフェースを具備する請求項１記載の携帯型電子機器。
【請求項１５】
前記報知手段は、サウンド出力手段、バイブレーション手段、ディスプレイ手段の少なくともいずれかにより前記報知を行う請求項８記載の携帯型電子機器。
【請求項１６】
前記受信手段で受信した放送番組のコンテンツを再生し出力する出力手段をさらに具備する請求項１記載の携帯型電子機器。
【請求項１７】
放送番組を受信する受信手段と、前記受信手段で受信した放送番組のコンテンツを予約情報に従い記録する記録手段とを備えた携帯型電子機器の記録制御方法であって、
前記予約情報に従う前記放送番組の記録に先立つ所定の時点で前記受信手段の受信状況を調べ、前記受信手段が前記放送番組を受信可能な所定の受信レベル状態にないとき、この状態を外部に通知し、前記受信手段が前記放送番組を受信可能な所定の受信レベル状態にあるとき、前記予約情報に従う時点から前記受信手段が受信した前記放送番組のコンテンツを前記記録手段に記録させることを特徴とする携帯型電子機器の記録制御方法。
【発明の詳細な説明】
【技術分野】
【０００１】
本発明は、テレビジョン放送、ラジオ放送等に於ける放送番組の受信並びに記録機能を備えた、例えば携帯電話、携帯型端末、移動端末等に適用して好適な予約録画機能を備えた携帯型電子機器および同機器の記録制御方法に関する。
【背景技術】
【０００２】
近年、モバイルコンピューティング技術を駆使した各種の各種の携帯型無線通信機器が開発されている。例えば携帯電話、携帯端末等の携帯機器や移動端末に於いては、インターネット接続機能に加え、アナログ地上放送の受信機能をもつ機器が実用化され、さらには地上デジタル放送、モバイル放送等の受信機能をもつ機器が開発されている。
【０００３】
地上デジタル放送は、移動受信や携帯受信に適した方式を採用しており、一般にアナログ地上放送に比べると移動などによる受信環境の変化に影響されずに安定した受信が可能である。
【０００４】
しかしながら、受信状態が悪い場合にはアナログ放送のような、「見え難いがある程度は映る」といった中間的な受信状況は殆ど存在せず、実質的には受信可能状態と受信不能状態のいずれか一方の状態になる。
【０００５】
つまりデジタル放送に於いては、受信不能な状態である場合に、そのまま予約番組を録画することは意味がなく、例えば携帯機器に於いては、バッテリ容量を無駄に消耗することにもなる。
【０００６】
この種携帯機器に於いては、録画中に受信状態が悪化した際に、その状態をユーザに通知することにより、上記したような受信不能な状態である場合に、その状態のまま予約番組の録画を続けるという問題を解消できる。
【０００７】
しかしながら予約録画機能による録画時に於いては、録画が開始された後にユーザが受信状態が悪化していることを知ることになり、従って予約した番組を録画することができず、信頼性の高い予約録画機能を実現できないという問題が生じる。
【特許文献１】特開２００４−０１５３３３公報
【発明の開示】
【発明が解決しようとする課題】
【０００８】
上述したように従来では、携帯機器、移動端末等の携帯型電子機器に於いて、信頼性の高い予約録画機能を実現できないという問題があった。
【０００９】
本発明は上記実情に鑑みなされたもので、信頼性の高い予約録画機能および予約録音機能を実現できる携帯型電子機器および同機器の記録制御方法を提供することを目的とする。
【課題を解決するための手段】
【００１０】
本発明は、放送番組を受信する受信手段と、前記受信手段で受信した放送番組のコンテンツを記録する記録手段と、前記受信手段で受信した放送番組のコンテンツを前記記録手段に記録させるための記録開始時刻および記録可否判定時刻を設定する時刻設定手段と、前記時刻設定手段で設定した前記各時刻を示す時刻情報を保持する保持手段と、保持手段に保持された前記時刻情報に従う計時を行う計時手段と、前記計時手段が前記保持手段に保持された前記記録可否判定時刻を計時したとき、前記受信手段の受信状況を調べ、前記受信手段が前記放送番組を受信可能な所定の受信レベル状態にないとき、その状態を外部に通知し、前記受信手段が前記放送番組を受信可能な所定の受信レベル状態にあるとき、前記計時手段が前記保持手段に保持された前記記録開始時刻を計時した時点から前記受信手段が受信した前記放送番組のコンテンツを前記記録手段に記録させる記録制御手段とを具備した携帯型電子機器を特徴とする。
【００１１】
このような本発明の携帯型電子機器により、例えばテレビジョン放送に於いて、予約録画を設定したとき、予約録画の開始時刻以前の所定のタイミングで録画する放送番組の受信状態を調べ、受信状態が悪い場合に、その旨を予約録画開始以前の早い段階で事前にユーザに報知することができ、これによって信頼性の高い予約録画機能が実現できる。
【００１２】
また、本発明は、放送番組を受信する受信手段と、前記受信手段で受信した放送番組のコンテンツを予約情報に従い記録する記録手段とを備えた携帯型電子機器の記録制御方法であって、前記予約情報に従う前記放送番組の記録に先立つ所定の時点で前記受信手段の受信状況を調べ、前記受信手段が前記放送番組を受信可能な所定の受信レベル状態にないとき、その状態を外部に通知し、前記受信手段が前記放送番組を受信可能な所定の受信レベル状態にあるとき、前記予約情報に従う時点から前記受信手段が受信した前記放送番組のコンテンツを前記記録手段に記録させることを特徴とする。
【００１３】
このような本発明の記録制御方法により、例えばテレビジョン放送に於いて、予約録画を設定したとき、録画する放送番組の受信状態を、予約録画の開始時刻以前の早い段階で事前にユーザに報知でき、例えば録画開始時刻までに受信状態を改善する対処、他の機器に録画を委ねる対処等を採ることができる。これによって信頼性の高い予約録画機能が実現できる。
【発明の効果】
【００１４】
信頼性の高い予約録画および予約録音機能を実現できる。
【発明を実施するための最良の形態】
【００１５】
以下図面を参照して本発明の実施形態を説明する。  
本発明の第１、第２実施形態に係る携帯型電子機器の構成を図１に示している。この実施形態ではデジタルテレビジョン放送の受信並びに録画機能を備えた携帯電話機を例に、その構成を示している。
【００１６】
本発明の第１、第２実施形態に係る携帯型電子機器は、ＣＰＵ／制御部１０１、移動型通話部１０２、メモリ部１０３、操作部１０４、タイマ部１０５、外部メモリカードインタフェース１０６、チューナー部１１１、復調部１１２、ＭＰＥＧ  Ａ／Ｖデコード部１１３、映像出力部１１４、ＬＣＤモニター部１１５、音声入出力部１０７、メロディ生成部１０８、スピーカー・ボコーダ部１０９、バイブレータ部１１０、メモリカード１１８等を有する。スピーカー・ボコーダ部１０９、およびメモリカード１１８を除く上記各構成要素は、それぞれシステムバスを介して相互に接続される。
【００１７】
ＣＰＵ／制御部１０１、メモリ部１０３、操作部１０４、およびタイマ部１０５は、主にシステム全体の入力および制御を行う構成要素である。チューナー部１１１、復調部１１２、ＭＰＥＧ  Ａ／Ｖデコード部１１３、映像出力部１１４、ＬＣＤモニター部１１５、外部メモリカードインタフェース１０６、およびメモリカード１１８は、主にデジタルテレビジョン放送の受信並びに録画・再生を行う構成要素である。移動型通話部１０２、音声入出力部１０７、メロディ生成部１０８、スピーカー・ボコーダ部１０９、およびバイブレータ部１１０は、主に携帯電話の機能を実現する構成要素である。
【００１８】
ＣＰＵ／制御部１０１は、システム全体の制御を司るもので、操作部１０４からの指示入力を受けて、メモリ部１０３に格納されたプログラムに従う各種の処理を実行する。この実施形態では、予約録画の処理に関して、第１実施形態として図３および図４に示す予約録画の処理を実行し、第２実施形態として図５に示す予約録画の処理を実行する。
【００１９】
メモリ部１０３は上記ＣＰＵ／制御部１０１が実行する各種のプログラム、作業データ等を格納する。上記メモリ部１０３はこの実施形態に係る予約録画に関して、ＣＰＵ／制御部１０１の制御のもとに操作部１０４の操作により設定された、放送番組（放送局）およびその予約録画開始時刻と、チューナー部１１１の受信状態から上記予約録画の可否を判定する録画可否判定時刻の各データをそれぞれ対応付けて記憶する。なお、ここでは、上記録画可否判定時刻をユーザが任意に設定できるようにしているが、ＣＰＵ／制御部１０１の処理内で決めて設定することも可能であり、この際は操作部１０４からの録画可否判定時刻の設定は不要になる。また、上記録画可否判定時刻をユーザが設定するモードと機器側で決めて設定するモードとを操作部１０４の操作で選択することも可能である。
【００２０】
操作部１０４は、ユーザが操作する各種のキー、スイッチ等を有し、その操作に伴うコマンドをＣＰＵ／制御部１０１に通知する。上記操作部１０４は、本発明の実施形態に係る予約録画に関して、放送番組（放送局若しくは放送チャンネル）およびその予約録画開始時刻と、チューナー部１１１の受信状態から上記予約録画の可否を判定する録画可否判定時刻の各データを入力する操作入力手段を具備する。この操作入力手段は、操作部１０４のみにより実現してもよいし、ＬＣＤモニター部１１５と協同して表示画面を用いて実現してもよい。
【００２１】
タイマ部１０５は、ＣＰＵ／制御部１０１の制御のもとに各種のタイマカウントを実行し、そのカウント状態をＣＰＵ／制御部１０１に通知する。上記タイマ部１０５は、本発明の実施形態に係る予約録画に関して、ＣＰＵ／制御部１０１の制御のもとに、上記メモリ部１０３に記憶された、予約録画の可否を判定する録画可否判定時刻、および予約録画開始時刻の計時を行う。
【００２２】
外部メモリカードインタフェース１０６は、メモリカード１１８を挿脱可能にするカードスロットおよびカード接続インタフェースを有し、ＣＰＵ／制御部１０１の制御のもとに、カードスロットに装着されたメモリカード１１８にデータを記録し、読み出してバス上に出力する。上記外部メモリカードインタフェース１０６は、本発明の実施形態に係る予約録画に関して、ＣＰＵ／制御部１０１の制御のもとに上記チューナー部１１１で受信した放送番組のコンテンツデータを記録し、読み出してバス上に出力する。
【００２３】
移動型通話部１０２、音声入出力部１０７、メロディ生成部１０８、スピーカー・ボコーダ部１０９、およびバイブレータ部１１０は、それぞれ既知の携帯電話機能と同様の構成要素であるが、本発明の第１実施形態に係る予約録画に関して、音声入出力部１０７、メロディ生成部１０８、スピーカー・ボコーダ部１０９、およびバイブレータ部１１０のいずれかが予約録画不能状態をユーザに報知する報知手段として用いられる。また本発明の第２実施形態に係る予約録画に関して、音声入出力部１０７、メロディ生成部１０８、スピーカー・ボコーダ部１０９、およびバイブレータ部１１０のいずれかが予約録画不能状態をユーザに報知する報知手段として用いられるとともに、移動型通話部１０２が予約録画不能状態下に於いて、外部の機器（例えば自宅の録画システム、所定の情報サービス機関等）へ、その予約録画を委ねるための通信手段として用いられる。
【００２４】
チューナー部１１１、復調部１１２、ＭＰＥＧ  Ａ／Ｖデコード部１１３、映像出力部１１４、ＬＣＤモニター部１１５、外部メモリカードインタフェース１０６、およびメモリカード１１８はそれぞれ既知のデジタルテレビジョン放送の受信機能と同様の構成要素であるが、本発明の第１および第２実施形態に係る予約録画に関して、この受信機能部からＣＰＵ／制御部１０１が予約録画の可否を判定する際に、予約録画番組の受信状況を判断するためのパラメータ値（閾値）として取得する。アンテナ（ＡＮＴ）によって受信されたテレビジョン放送信号はチューナー部１１１に供給される。チューナー部１１１は入力されたテレビジョン放送信号からユーザにより指定された放送番組（放送局若しくは放送チャンネル）のテレビジョン放送信号を取得し、ＩＦ（Intermediate Frequency）信号に変換して復調部１１２に送出する。さらにチューナー部１１１は入力したテレビジョン放送信号の受信電力をパラメータ値として出力する。このパラメータ値が予約録画の可否を判定するための信号（閾値）としてＣＰＵ／制御部１０１に取得される。
【００２５】
復調部（ＯＦＤＭ復調器）１１２は、入力されたＩＦ（中間周波数）信号からベースバンドの映像信号と復調前の音声信号を生成する。さらに復調部１１２は、上記放送信号のＣ／Ｎ（Carrier to Noise）比に関するパラメータ、およびＢＥＲ（Bit Error Rate）値に関するパラメータを出力する。この各パラメータ値が予約録画の可否を判定するための信号としてＣＰＵ／制御部１０１に取得される。一般にデジタルテレビジョン放送を正常に受信するには、デジタルで符号化された映像、音声信号が、誤りなしで伝送されることが重要である。映像信号が誤りなし（擬似エラーフリー）で伝送されるためには、ＲＳ（リードソロモン）符号復号出力のＢＥＲ（誤り率）の値が１×１０-11以下である必要がある。また、このためにはビタビ復号出力のＢＥＲの値が２×１０-4であることが必要となる。また、デジタルテレビジョン放送において、受信状況を判断するためのパラメータとして、受信電力と、Ｃ／Ｎが一般に知られている。これらの値は、変調方式や符号化率によって、受信に要する下限値が異なっている。例えば、ガウス雑音環境下において、ＱＰＳＫ符号化率１／２の場合の所要Ｃ／Ｎ比は４．９ｄＢであり、１６ＱＡＭ符号化率１／２の場合の所要Ｃ／Ｎ比は１１．５ｄＢである。また受信電力の所要電界強度に関しては、固定受信の場合で６０ｄＢｕＶ／ｍが要求される。この実施形態では、これらの受信感度パラメータ値を閾値として、放送受信可否の判定を行う。
【００２６】
また復調部１１２は生成した映像信号を映像コンテンツデータとして、ＣＰＵ／制御部１０１の制御のもとにＭＰＥＧ  Ａ／Ｖデコード部１１３に送出し、さらにＣＰＵ／制御部１０１のもとにバスを介して外部メモリカードインタフェース１０６に送出する。また復調部１１２は生成した音声信号をＣＰＵ／制御部１０１の制御のもとにバスを介して音声入出力部１０７に送出する。
【００２７】
上記した第１実施形態の予約録画に係る処理制御について、その動作タイミングを図２に示し、処理手順を図３および図４に示している。
【００２８】
操作部１０４の入力操作により、予約録画する放送番組（放送局若しくは放送チャンネル）と、その予約録画開始時刻、および録画可否判定時刻が入力され、予約録画が指定されると、ＣＰＵ／制御部１０１は、これらの各入力データをそれぞれ対応付けてメモリ部１０３に記憶し、タイマ部１０５に起動をかけて、上記予約録画開始時刻および録画可否判定時刻の計時（タイマカウント）を開始させる。この計時開始タイミングを図２（ａ）に符号Ｔａで示している。
【００２９】
ＣＰＵ／制御部１０１は、タイマ部１０５が録画可否判定時刻を計時すると（図３ステップＳ１１  ＹＥＳ）、メモリ部１０３に記憶した予約番組の受信状況を判定するために、その判定信号を受信機能部から取得し、録画可否判定を行う（図３ステップＳ１２，Ｓ１３）。
【００３０】
ここでの録画可否の判定処理は、まずチューナー部１１１から予約録画するテレビジョン放送信号に対する受信電力のパラメータ値を取得して（図４ステップＳ２１）、そのパラメータ値が規定値に達しているか否かを判定する（図４ステップＳ２２）。ここでパラメータ値が規定値に達していなければ（図４ステップＳ２２  ＮＧ）、その予約録画番組が正常に受信されない予約録画不能な状態にあると判定する。
【００３１】
また上記受信電力のパラメータ値が規定値に達しているとき（図４ステップＳ２２  ＯＫ）は、次に復調部１１２からＣ／Ｎ比のパラメータ値を取得して（図４ステップＳ２３）、そのパラメータ値が規定値に達しているか否かを判定する（図４ステップＳ２４）。ここでパラメータ値が規定値に達していなければ（図４ステップＳ２４  ＮＧ）、その予約録画番組が正常に受信されない予約録画不能な状態にあると判定する。
【００３２】
また上記Ｃ／Ｎ比のパラメータ値が規定値に達しているとき（図４ステップＳ２４  ＯＫ）は、次に復調部１１２からＢＥＲのパラメータ値を取得して（図４ステップＳ２５）、そのパラメータ値が規定値に達しているか否かを判定する（図４ステップＳ２６）。ここでパラメータ値が規定値に達していなければ（図４ステップＳ２６  ＮＧ）、その予約録画番組が正常に受信されない予約録画不能な状態にあると判定する。またパラメータ値が規定値に達しているとき（図４ステップＳ２６  ＯＫ）は、予約録画番組が正常に受信できる予約録画可能な状態にあると判定する。
【００３３】
このようにして予約録画番組の録画可否状態が録画開始に先立ち、事前に判定される。この判定処理タイミングを図２（ａ）に符号Ｔｂで示し、録画可否（ＯＫ／ＮＧ）判定の処理を図２（ｂ）に符号ＣＴで示している。
【００３４】
上記した判定処理で、予約録画可能な状態にあると判定された場合（図３ステップＳ１４  ＯＫ）は、タイマ部１０５が予約録画開始時刻を計時した時点で（図３ステップＳ１５  ＮＯ）、復調部１１２により復調された予約番組の映像信号および音声信号を予約録画のコンテンツデータとして外部メモリカードインタフェース１０６を介してメモリカード１１８に記録（録画）する。この際の予約録画開始時刻を計時したタイミングを図２（ａ）に符号Ｔｃで示し、記録（録画）開始タイミングを図２（ｃ）に符号Ｒｓで示している。
【００３５】
また、上記した判定処理で、予約録画不能な状態にあると判定された場合（図３ステップＳ１４  ＮＧ）は、その状態を予約録画を行ったユーザに報知する（図３ステップＳ１６）。この報知により、ユーザは予約録画開始時刻前の早い時間帯に於いて、例えば録画開始時刻までに受信状態を改善する対処、または他の機器に録画を委ねる対処等を採ることができる。この際の報知処理を図２（ｄ）に符号Ｅｄで示している。
【００３６】
また、ユーザは受信状態が改善できないと判断した場合は操作部１０４からの操作入力により、この時点で予約録画設定を取り消すこともできる。
【００３７】
上記報知の後、録画開始時刻に達した時点（図３ステップＳ１７  ＮＯ）で、メモリ部１０３に記憶されている予約録画の各データを消去して、上記ユーザが設定した予約録画を無効にする（図３ステップＳ１９）。
【００３８】
上記報知の処理は、携帯電話機能の構成要素に含まれる音声入出力部１０７、メロディ生成部１０８、スピーカー・ボコーダ部１０９、およびバイブレータ部１１０と、ＬＣＤモニター部１１５を組み合わせて用いることで、高い報知効果を得ることができる。
【００３９】
例えばメロディ生成部１０８を用いて、予約録画不能な状態にある旨を、ユーザが設定したその状態報知に特有のメロディアラームで報知することにより、予約録画を行ったユーザに予約録画不能な状態を他のアラーム報知と区別して明確に伝えることができる。
【００４０】
また、ＬＣＤモニター部１１５を用いて、予約録画不能な状態にある旨を画面に表示することで、予約録画を行ったユーザは録画不能な予約録画の内容および録画不能原因を容易に認識することができる。
【００４１】
また、バイブレータ部１１０を用いて、予約録画不能な状態にある旨を予約録画を行ったユーザのみに知らせることができる。
【００４２】
これらの報知手段を組み合わせて用いることで、予約録画不能な状態にある旨を、予約録画開始時刻以前の早い段階で予約録画を行ったユーザに確実に知らせることができる。
【００４３】
これによりユーザが予約録画を設定したとき、録画する放送番組の受信状態を、予約録画の開始時刻以前の早い段階で事前にかつ確実にユーザに報知でき、例えば録画開始時刻までに受信状態を改善する対処、他の機器に録画を委ねる対処等を採ることができる。
【００４４】
本発明の第２実施形態に於ける携帯型電子機器の予約録画に係る処理手順を図５に示している。この図５に示す第２実施形態の処理が上述した第１実施形態と特に異なるところは、上記報知の後、録画開始時刻に達した時点（図５ステップＳ１７  ＮＯ）で、予約録画した放送番組を他の機器に代えて（委ねて）録画させるか否かをその予約録画を行ったユーザに選択させ（図５ステップＳ１８）、ユーザが、予約録画した放送番組を他の機器に代えて（委ねて）録画させる選択をしたとき（図５ステップＳ１８  ＹＥＳ）、メモリ部１０３に記憶している上記予約録画の各データをもとに録画用のメールを作成し、そのメールを移動型通話部１０２により送信する（図５ステップＳ２０）処理機能を有している。
【００４５】
このメール送信機能をもつことで、予約録画の可否を判定する録画可否判定時刻と予約録画開始時刻との時間間隔を拡げることなく、容易に他の機器で予約録画を代行させることができる。
【００４６】
上記した第１、第２実施形態はいずれも上記チューナー部１１１および復調部１１２が既知のデジタルテレビジョン放送の放送番組を受信し復調する受信機能を例に挙げて説明したが、上記チューナー部１１１および復調部１１２が移動体向けの放送番組を受信し復調する受信機能であってもよく、この場合も上記した第１、第２実施形態と同様の予約録画機能を実現することができる。
【００４７】
本発明の第３実施形態に係る携帯型電子機器の構成を図６に示している。この第３実施形態は１セグメント放送を受信するラジオ放送の受信並びに録音（録画も可能）機能を備えた携帯電話機を例に、その構成を示している。
【００４８】
本発明の第３実施形態に係る携帯型電子機器は、ＣＰＵ／制御部２０１、移動型通話部２０２、メモリ部２０３、操作部２０４、タイマ部２０５、外部メモリカードインタフェース２０６、チューナー部２１１、復調部２１２、映像出力部２１４、ＬＣＤモニター部２１５、音声入出力部２０７、メロディ生成部２０８、スピーカー・ボコーダ部２０９、バイブレータ部２１０、メモリカード１１８等を有する。スピーカー・ボコーダ部２０９、およびメモリカード１１８を除く上記各構成要素は、それぞれシステムバスを介して相互に接続される。
【００４９】
この図６に示す本発明の第３実施形態が上述した第１、第２実施形態と異なるところは、第１、第２実施形態がメモリカード１１８にテレビジョン放送の映像・音声コンテンツを記録（録画）するのに対して、この第３実施形態はメモリカード１１８にラジオ放送番組のコンテンツを記録する点である。この第３実施形態に於いても、図３乃至図５に示す予約録画に係る処理制御機能をもつことで、番組予約を設定したとき、録音する放送番組の受信状態を、番組予約の開始時刻以前の早い段階で事前にユーザに報知でき、例えば録音開始時刻までに受信状態を改善する対処、他の機器に録音を委ねる対処等を採ることができる。これによって信頼性の高い予約録音機能が実現できる。
【００５０】
また、ユーザは受信状態が改善できないと判断した場合は操作部１０４からの操作入力により、この時点で予約録画設定を取り消すこともできる。
【図面の簡単な説明】
【００５１】
【図１】本発明の第１、第２実施形態に於ける携帯型電子機器の構成を示すブロック図。
【図２】本発明の第１実施形態に於ける携帯型電子機器の予約録画に係る動作タイミングを示す図。
【図３】本発明の第１実施形態に於ける携帯型電子機器の予約録画に係る処理手順を示すフローチャート。
【図４】本発明の第１実施形態に於ける携帯型電子機器の予約録画に係る処理手順を示すフローチャート。
【図５】本発明の第２実施形態に於ける携帯型電子機器の予約録画に係る処理手順を示すフローチャート。
【図６】本発明の第３実施形態に於ける携帯型電子機器の構成を示すブロック図。
【符号の説明】
【００５２】
１０１，２０１…ＣＰＵ／制御部、１０２，２０２…移動型通話部、１０３，２０３…メモリ部、１０４，２０４…操作部、１０５，２０５…タイマ部、１０６，２０６…外部メモリカードインタフェース、１０７，２０７…音声入出力部、１０８，２０８…メロディ生成部、１０９，２０９…スピーカー・ボコーダ部、１１０，２１０…バイブレータ部、１１１，２１１…チューナー部、１１２，２１２…復調部、１１３…ＭＰＥＧ  Ａ／Ｖデコード部、１１４，２１４…映像出力部、１１５，２１５…ＬＣＤモニター部。
【図１】
2006186673.tif 000003
【図２】
2006186673.tif 000004
【図３】
2006186673.tif 000005
【図４】
2006186673.tif 000006
【図５】
2006186673.tif 000007
【図６】
2006186673.tif 000008